(57)【要約】      （修正有）【課題】ウイルス対策ソフトウエアを改訂版に応じて自動的にバージョンアップ可能な加工装置の管理方法を提供する。【解決手段】被加工物に加工を施す加工手段と、加工手段を制御し通信回線と接続可能なコンピュータ３０からなる制御手段と、を備えた加工装置２６の管理方法であって、加工装置２６のコンピュータ３０を通信回線３を介して装置メーカー側に設置されたサーバー５に接続するステップと、端末装置７から、ウイルス対策ソフトウエア３４をサーバー５に保存する保存ステップと、ソフトウエア３４の改定に対応してソフトウエアを更新するソフトウエア更新ステップと、加工装置２６のコンピュータ３０が、サーバー５に保存されたウイルス対策ソフトウエア３４を通信回線３を介してダウンロードするステップと、を含み、ダウンロードステップを適宜繰り返して実施することにより、コンピュータ３０が保存するウイルス対策ソフトウエアを適宜更新する。【選択図】図４
2014021667.tif 000002
【特許請求の範囲】
【請求項１】
被加工物を保持するチャックテーブルと、該チャックテーブルに保持された被加工物に加工を施す加工手段と、該加工手段を制御し通信回線と接続可能なコンピュータからなる制御手段と、を備えた加工装置の管理方法であって、
該加工装置の該コンピュータを該通信回線を介して装置メーカー側に設置されたサーバーに接続するサーバー接続ステップと、
該サーバーに接続された端末装置から、該コンピュータのウイルスを駆除するためのウイルス対策ソフトウエアを該サーバーに保存するソフトウエア保存ステップと、
該ウイルス対策ソフトウエアの改定に対応して該サーバーが保存する該ウイルス対策ソフトウエアを更新するソフトウエア更新ステップと、
該加工装置の該コンピュータが、該サーバーに保存された該ウイルス対策ソフトウエアを該通信回線を介してダウンロードするダウンロードステップと、を含み、
該ダウンロードステップを適宜繰り返して実施することにより、該コンピュータが保存する該ウイルス対策ソフトウエアを適宜更新することを特徴とする加工装置の管理方法。
【発明の詳細な説明】
【技術分野】
【０００１】
本発明は、切削装置、研削装置等の加工装置の管理方法に関し、特に、加工装置を制御するコントローラのウイルス対策ソフトウエアの管理方法に関する。
【背景技術】
【０００２】
半導体デバイスや電子部品の製造工程では、半導体ウエーハやセラミックス基板等の各種素材からなる板状の被加工物を、研削装置のスピンドルに装着された研削ホイールによって研削して所定の厚みに形成した後、切削装置のスピンドルに装着された切削ブレードやレーザー加工装置によって個々のデバイスチップに分割する。
【０００３】
これらの加工装置では、研削ホイール、切削ブレード、レーザービーム照射ユニットを各種条件、例えば回転スピードや被加工物との相対移動速度、切り込み速度又は当接速度、各種ノズルの位置等といった条件を設定して加工を行っている（例えば、特開２００９−１１７７７６号公報参照）。
【０００４】
これらの条件は細かい部品の位置やデータ設定等を含めると膨大な量であり、これらの制御は加工装置に内蔵されたコントローラ中に配設されたコンピュータが行っている。
【先行技術文献】
【特許文献】
【０００５】
【特許文献１】特開２００９−１１７７７６号公報
【発明の概要】
【発明が解決しようとする課題】
【０００６】
加工装置のコンピュータは外部記憶装置の接続手段を備えており、例えばＵＳＢメモリなどを接続手段に接続し、一部のデータを保存して抜き取ったりすることも頻繁に行われている。こうした作業で用いられる外部記憶装置は特に制限がないため、最悪の場合コンピュータが外部記憶装置を介してコンピュータウイルスに感染する危険がある。
【０００７】
そこで、予め加工装置のメーカー側で加工装置の出荷前にウイルス対策ソフトウエアをインストールしておくという手段も講じられているが、コンピュータウイルスは常に変化するため、その変化するウイルスに対応してウイルス対策ソフトウエアもバージョンアップしなければウイルス対策として機能しなくなる可能性がある。
【０００８】
本発明はこのような点に鑑みてなされたものであり、その目的とするところは、ウイルス対策ソフトウエアを改訂版に応じて自動的にバージョンアップ可能な加工装置の管理方法を提供することである。
【課題を解決するための手段】
【０００９】
本発明によると、被加工物を保持するチャックテーブルと、該チャックテーブルに保持された被加工物に加工を施す加工手段と、該加工手段を制御し通信回線と接続可能なコンピュータからなる制御手段と、を備えた加工装置の管理方法であって、該加工装置の該コンピュータを該通信回線を介して装置メーカー側に設置されたサーバーに接続するサーバー接続ステップと、該サーバーに接続された端末装置から、該コンピュータのウイルスを駆除するためのウイルス対策ソフトウエアを該サーバーに保存するソフトウエア保存ステップと、該ウイルス対策ソフトウエアの改定に対応して該サーバーが保存する該ウイルス対策ソフトウエアを更新するソフトウエア更新ステップと、該加工装置の該コンピュータが、該サーバーに保存された該ウイルス対策ソフトウエアを該通信回線を介してダウンロードするダウンロードステップと、を含み、該ダウンロードステップを適宜繰り返して実施することにより、該コンピュータが保存する該ウイルス対策ソフトウエアを適宜更新することを特徴とする加工装置の管理方法が提供される。
【発明の効果】
【００１０】
本発明の加工装置の管理方法によると、端末装置から装置メーカー側に設置されたサーバーにウイルス対策ソフトウエアを保存し、ウイルス対策ソフトウエアの改定に伴って適宜サーバーに保存されるウイルス対策ソフトウエアを更新する。
【００１１】
加工装置から通信回線を介して、常に改定されているサーバーに保存されたウイルス対策ソフトウエアをダウンロードすることで、加工装置のウイルス対策ソフトウエアも容易に更新することができる。
【００１２】
メーカー側の作業者は加工装置が設置されている現場まで足を運ぶことなく、加工装置を使用しているユーザーも適宜都合がつくスケジュールで容易にウイルス対策ソフトウエアを更新できるため、加工装置のコンピュータのウイルス感染を容易に防止することができる。
【図面の簡単な説明】
【００１３】
【図１】本発明の加工装置の管理方法の概要を示す模式図である。
【図２】切削装置の外観斜視図である。
【図３】本発明実施形態に係る加工装置の管理方法を説明するブロック図である（その１）。
【図４】本発明実施形態に係る加工装置の管理方法を説明するブロック図である（その２）。
【発明を実施するための形態】
【００１４】
以下、本発明の実施形態を図面を参照して詳細に説明する。図１を参照すると、本発明の加工装置の管理方法の概要を示す模式図が示されている。使用者側の工場等に設置された複数の加工装置１ａ，１ｂ，１ｃがインターネット等の通信回線３を介して装置メーカー側に設置されたサーバー５に接続されている。
【００１５】
サーバー５は、装置メーカー側に設置された端末装置７ａ，７ｂ，７ｃに接続されている。加工装置１ａ，１ｂ，１ｃ及び端末装置７ａ，７ｂ，７ｃは全て１台１台個別の識別番号（ＩＤ）が付されている。
【００１６】
加工装置の一例としての切削装置２の外観斜視図が示されている。切削装置２は、切削ブレードを有する切削ユニット１０等の加工手段がハウジング８内に収容された加工装置本体４と、加工装置本体４のハウジング８に装着されたタッチパネル式のオペレーション表示モニタ６を含んでいる。
【００１７】
切削ユニット１０に隣接して被加工物を保持するチャックテーブル１２がＸ軸方向に移動可能に配設されている。１４は内部に複数の被加工物２２を収容したカセット２４を載置するカセット載置台（カセットエレベータ）であり、上下方向に移動可能に構成されている。
【００１８】
１６は切削装置２の稼働状況を表示する表示ランプであり、切削装置が正常作動時には例えば緑色で点灯し、何らかの故障が生じた場合には赤色が点滅する。１８，２０は非常停止ボタンであり、作業者がこの非常停止ボタン１８，２０を押すと切削装置２の作動を直ちに停止することができる。
【００１９】
切削装置２には、所定の加工条件に基づいた加工を実施するために、切削装置２を自動制御するための制御手段（コントローラ）３０が内蔵されている。図３を参照すると、加工装置２６は被加工物に加工を施す加工手段２８と、加工手段２８を制御するコンピュータから構成される制御手段３０を含んでいる。
【００２０】
加工装置２６のコンピュータ３０は、通信手段３２及びインターネット等の通信回線３を介して装置メーカー側に設置されたサーバー５に接続可能である。サーバー５は装置メーカー側に設置された端末装置７に接続されている。
【００２１】
本実施形態の加工装置の管理方法は、端末装置７からコンピュータ３０をウイルスから保護するためのウイルス対策ソフトウエアをサーバー５に保存するソフトウエア保存ステップと、加工装置２６のコンピュータ３０を通信回線３を介してサーバー５に接続するサーバー接続ステップと、加工装置２６のコンピュータ３０がサーバー５に保存されたウイルス対策ソフトウエアを通信回線３を介してダウンロードするダウンロードステップを含んでいる。
【００２２】
図４に示すように、サーバー５に保存されているウイルス対策ソフトウエア３４は、ソフトウエアの改定版に応じて、端末装置７から改訂版１のソフトウエア３４ａ、改訂版２のソフトウエア３４ｂ、・・・改訂版Ｎのソフトウエア３４ｎと順次更新（バージョンアップ）される。
【００２３】
加工装置２６のコンピュータ３０は、適当な間隔、例えば一週間に１回、或いは加工装置立ち上げ時等に適宜ウイルス対策ソフトウエア３４のダウンロードを繰り返して実施することにより、コンピュータ３０が保存するウイルス対策ソフトウエア３４は常に最新のバージョンに更新される。
【００２４】
上述した加工装置の管理方法によると、メーカー側の端末装置７から同じくメーカー側に設置されたサーバー５にウイルス対策ソフトウエア３４を保存し、ウイルス対策ソフトウエア３４のバージョンアップに伴って、端末装置７から適宜サーバー５に保存されるウイルス対策ソフトウエア３４ａ〜３４ｎをバージョンアップする。
【００２５】
加工装置２６から通信回線５を介して、常にバージョンアップされているサーバー５に保存されているウイルス対策ソフトウエア３４ａ〜３４ｎを適宜ダウンロードすることにより、加工装置２６のコンピュータ３０にインストールされているウイルス対策ソフトウエアを容易にバージョンアップすることができる。
【００２６】
装置メーカー側の作業者が加工装置が設置されている現場まで赴く必要がなく、加工装置２６に使用しているユーザーは適宜都合がつくスケジュールでウイルス対策ソフトウエア３４を容易にバージョンアップできるため、加工装置２６のコンピュータ３０をウイルス感染から容易に保護することができる。
【符号の説明】
【００２７】
１ａ，１ｂ，１ｃ    加工装置
２    切削装置
３    通信回線
５    サーバー
７ａ，７ｂ，７ｃ    端末装置
２６    加工装置
３０    制御手段（コンピュータ）
３２    通信手段
３４，３４ａ〜３４ｎ    ウイルス対策ソフトウエア
【図１】
2014021667.tif 000003
【図２】
2014021667.tif 000004
【図３】
2014021667.tif 000005
【図４】
2014021667.tif 000006